(57)【要約】  上部の電力電子スイッチおよび下部の電力電子スイッチを受けるための物理的トポロジーは、上部の電力電子スイッチのコレクタのための接続領域を有してプラス電圧電源タブに接続された上部のコレクタパターンと、下部の電力電子スイッチのエミッタのための接続領域を有してマイナス電圧電源タブに接続された下部のエミッタパターンと、上部の電力電子スイッチのエミッタのための接続領域および下部の電力電子スイッチのコレクタのための接続領域を有して負荷タブに接続された中間パターンとを備える。上部の電力電子スイッチのエミッタ電圧のパターン、下部の電力電子スイッチのエミッタ電圧のパターン、下部の電力電子スイッチのコレクタ電圧のパターン、およびマイナス電圧電源タブのパターンにおいて、サンプリングポイントが設けられている。このトポロジーは寄生インダクタンスを定義する。サンプリング電圧はゲート駆動回路の基準に供給され得る。
2018520625.tif 000002
【特許請求の範囲】
【請求項１】
それぞれがコレクタ、ゲートおよびエミッタを含んでいる上部の電力電子スイッチおよび下部の電力電子スイッチを受けるための物理的トポロジーであって、
前記上部の電力電子スイッチの前記コレクタのための接続領域を有してプラス電圧電源タブに接続された上部のコレクタパターンと、
前記下部の電力電子スイッチの前記エミッタのための接続領域を有してマイナス電圧電源タブに接続された下部のエミッタパターンと、
前記上部の電力電子スイッチの前記エミッタのための接続領域および前記下部の電力電子スイッチの前記コレクタのための接続領域を有して負荷タブに接続された中間パターンと、
前記上部の電力電子スイッチの前記エミッタのための前記接続領域の内部の前記中間パターン上に配置された、上部の電力電子スイッチのエミッタ電圧のサンプリングポイントと、
前記負荷タブへの前記中間パターンの接続領域の内部に配置された、下部の電力電子スイッチのコレクタ電圧のサンプリングポイントと、
前記下部の電力電子スイッチの前記エミッタのための前記接続領域の内部の前記下部のエミッタパターン上に配置された、下部の電力電子スイッチのエミッタ電圧のサンプリングポイントと、
前記マイナス電圧電源タブへの前記下部のエミッタパターンの接続領域の内部に配置された、マイナス電圧電源タブのサンプリングポイントと
を備えるトポロジー。
【請求項２】
前記上部のコレクタパターンが上部のコレクタインダクタンスを形成し、
前記下部のエミッタパターンが下部のエミッタインダクタンスを形成し、
前記中間パターンが、前記上部の電力電子スイッチの前記エミッタのための前記接続領域と前記下部の電力電子スイッチの前記コレクタの間に上部のエミッタインダクタンスを形成し、
前記中間パターンが、前記負荷タブと前記下部の電力電子スイッチの前記コレクタのための前記接続領域の間に下部のコレクタインダクタンスを形成する請求項1に記載のトポロジー。
【請求項３】
前記上部のエミッタインダクタンスが、前記上部のコレクタインダクタンスよりも大きく、前記下部のコレクタインダクタンスよりも大きく、
前記下部のエミッタインダクタンスが、前記上部のコレクタインダクタンスよりも大きく、前記下部のコレクタインダクタンスよりも大きい請求項2に記載のトポロジー。
【請求項４】
前記上部の電力電子スイッチの前記コレクタのための前記接続領域および前記下部の電力電子スイッチの前記コレクタのための前記接続領域が、前記電力電子スイッチの前記コレクタと直接接触するように構成されており、
前記上部の電力電子スイッチの前記エミッタのための前記接続領域および前記下部の電力電子スイッチの前記エミッタのための前記接続領域が、前記電力電子スイッチの前記エミッタとワイヤによって接続されるように構成されている請求項1から3のいずれか一項に記載のトポロジー。
【請求項５】
前記上部のコレクタパターンが、前記上部の電力電子スイッチに対して並列にダイオードを取り付けるように構成されており、
前記中間パターンが、前記下部の電力電子スイッチに対して並列にダイオードを取り付けるように構成されている請求項1から4のいずれか一項に記載のトポロジー。
【請求項６】
前記上部のコレクタパターンが、複数の並列接続された上部の電力電子スイッチを取り付けるように構成されており、
前記中間パターンが、複数の並列接続された下部の電力電子スイッチを取り付けるように構成されている請求項1から5のいずれか一項に記載のトポロジー。
【請求項７】
前記中間パターンが、前記並列接続された上部の電力電子スイッチの各々における電流を実質的に等しくするために、前記上部の電力電子スイッチのエミッタ電圧のサンプリングポイントから前記負荷タブの方へ通じる溝を含み、
前記下部のエミッタパターンが、前記並列接続された下部の電力電子スイッチの各々における電流を実質的に等しくするために、前記下部の電力電子スイッチのエミッタ電圧のサンプリングポイントから前記マイナス電圧電源タブの方へ通じる溝を含む請求項6に記載のトポロジー。
【請求項８】
前記上部のコレクタパターン、前記下部のエミッタパターンおよび前記中間パターンが、銅張り(DBC)基板上にある請求項1から7のいずれか一項に記載のトポロジー。
【請求項９】
前記上部の電力電子スイッチのエミッタ電圧のサンプリングポイント、前記下部の電力電子スイッチのコレクタ電圧のサンプリングポイント、前記下部の電力電子スイッチのエミッタ電圧のサンプリングポイントおよび前記マイナス電圧電源タブのサンプリングポイントの各々が、個別の回路カードに接続するように構成されて前記DBC基板の面から延在するそれぞれのゲート駆動回路接続に対して電気的に接続される請求項8に記載のトポロジー。
【請求項１０】
1つまたは複数のワイヤによって前記上部の電力電子スイッチの前記ゲートに接続するように構成された上部のゲートパターンと、
1つまたは複数のワイヤによって前記下部の電力電子スイッチの前記ゲートに接続するように構成された下部のゲートパターンと
を備える請求項1から8のいずれか一項に記載のトポロジー。
【請求項１１】
前記上部のゲートパターンおよび前記下部のゲートパターンからそれぞれ延在してそれぞれの上部のゲート駆動回路出力および下部のゲート駆動回路出力に接続するように構成された1対のゲート駆動回路接続を備える請求項10に記載のトポロジー。
【請求項１２】
前記負荷タブが相タブである請求項1から11のいずれか一項に記載のトポロジー。
【請求項１３】
前記上部の電力電子スイッチおよび前記下部の電力電子スイッチが絶縁ゲートバイポーラトランジスタ(IGBT)を含む請求項1から12のいずれか一項に記載のトポロジー。
【請求項１４】
請求項1から13のいずれか一項に記載の前記トポロジーならびに前記上部の電力電子スイッチおよび前記下部の電力電子スイッチと、
前記上部の電力電子スイッチのエミッタ電圧のサンプリングポイントおよび前記下部の電力電子スイッチのコレクタ電圧のサンプリングポイントに対して電気的に接続された基準を有する上部のゲート駆動回路と、
前記下部の電力電子スイッチのエミッタ電圧のサンプリングポイントおよび前記マイナス電圧電源タブのサンプリングポイントに対して電気的に接続された基準を有する下部のゲート駆動回路と
を備える電力コンバータ。
【請求項１５】
前記上部のゲート駆動回路の前記基準が、第1の抵抗と並列の第1のターンオンダイオードを介して前記上部の電力電子スイッチのエミッタ電圧のサンプリングポイントに接続されており、
前記第1のターンオンダイオードは、前記上部の電力電子スイッチのエミッタの電圧が前記上部のゲート駆動回路の前記基準の電圧よりも高いとき前記第1の抵抗を短絡するように極性を与えられており、
前記上部のゲート駆動回路の前記基準が、第2の抵抗を介して前記下部の電力電子スイッチのコレクタ電圧のサンプリングポイントに接続されており、
前記下部のゲート駆動回路の前記基準が、第3の抵抗と並列の第2のターンオンダイオードを介して前記下部の電力電子スイッチのエミッタ電圧のサンプリングポイントに接続されており、前記第2のターンオンダイオードは、前記下部の電力電子スイッチのエミッタの電圧が前記下部のゲート駆動回路の前記基準の電圧よりも高いとき前記第3の抵抗を短絡するように極性を与えられており、
前記下部のゲート駆動回路の前記基準が、第4の抵抗を介して前記マイナス電圧電源タブのサンプリングポイントに接続されている請求項14に記載の電力コンバータ。
【請求項１６】
請求項14または15に記載の電力コンバータを3つ含む3相電力コンバータ。
【発明の詳細な説明】
【技術分野】
【０００１】
本開示はパワーエレクトロニクスの分野に関する。より具体的には、本開示は電力コンバータを構築するための物理的トポロジーに関するものである。
【背景技術】
【０００２】
整流セルは、DC-DCコンバータとDC-ACコンバータの両方を含む、電圧源の変換を必要とする電子システムにおいて一般に使用され、多くの場合インバータと称される。たとえば電気自動車および/または電気的ハイブリッド自動車の用途で使用されるものなどの電力コンバータ回路に許容されるスペースが制限されていること、また、半導体が高コストであることからして、これらの整流セルの集積化に対する需要が増加する。
【０００３】
電力コンバータ回路に半導体が占めるスペースを低減する既知のやり方は、冷却面のサイズを縮小できるように半導体の効率を向上することである。
【０００４】
従来の電力コンバータ回路に存在する電力電子スイッチの損失は、主として伝導損失およびスイッチング損失の2つが原因となって引き起こされる。スイッチング損失を低減するやり方の1つには、一般に電力電子スイッチのターンオンおよびターンオフを加速することによるものがある。しかしながら、電力電子スイッチが高速でオフになると、電力電子スイッチの高周波ループの漂遊インダクタンスにおいて過電圧が生じる。したがって、多くの場合、電力電子スイッチを過電圧から保護するために、電力電子スイッチのターンオフを低速にしなければならない。このことにより、従来の電力コンバータ回路の総合効率に深刻な影響があり得る。
【０００５】
図1は、従来の電力コンバータ回路に使用されるものなど、従来の整流セルの理想化された回路図である。整流セル10は、電圧源12からの(またはキャパシタからの)DC電圧Vbusを、抵抗型負荷、モータなどであり得る負荷14に対して適切な電圧Voutを通常生成する電流源Iout(またはインダクタンス)に変換する。整流セル10は、還流ダイオード16と、たとえば絶縁ゲートバイポーラトランジスタ(IGBT)といった制御された電力電子スイッチ18とを備える。キャパシタ20(Cin)は電圧源12の電圧Vbusの変動を制限するために使用され、インダクタンス32は出力電流Ioutの変動を制限するために使用される。ゲート駆動回路(図1には示されていないが後の図に示される)は、電力電子スイッチ18のオン/オフを制御する。図1は、整流セル10、負荷14、および電圧源12の構成を示し、この図面において、エネルギーは電圧源12から負荷14へ、すなわち左から右へ流れる。整流セル10は、エネルギーが反対方向に流れる反対の構成においても使用され得る。
【０００６】
電力電子スイッチ18がオンになったとき、そのコレクタ22からエミッタ24へと電流が流れることができ、そのとき、電力電子スイッチ18は閉回路として近似され得る。電力電子スイッチ18は、オフになったときには電流が流れ得ず、開回路として近似され得る。
【０００７】
ゲート駆動回路は、電力電子スイッチ18のゲート26とエミッタ24の間に可変制御電圧を印加する。バイポーラトランジスタなどのいくつかのタイプの電力電子スイッチについては、ゲート駆動回路は電圧源の代わりに電流源として働き得る。一般に、ゲート26とエミッタ24の間に印加される電圧が「Hレベル」であるとき、電力電子スイッチ18はコレクタ22からエミッタ24へ電流を流し得る。ゲート26とエミッタ24の間に印加される電圧が「Lレベル」であるとき、電力電子スイッチ18は電流がそこを流れるのを阻止する。より詳細には、ゲート駆動回路によって、ゲート26とエミッタ24の間の電圧差Vgeが制御される。Vgeが電力電子スイッチ18の閾値Vge(th)よりも高いときスイッチ18がオンになり、コレクタ22とエミッタ24の間の電圧Vceはほぼ0になる。VgeがVge(th)よりも低いとき電力電子スイッチ18がオフになり、Vceは最終的にVbusに到達する。
【０００８】
電力電子スイッチ18がオンになったとき、電流Ioutは、電圧源12から(一時的にキャパシタ20から)負荷14、コレクタ22、およびエミッタ24を通って流れる。電力電子スイッチ18がオフになったとき、電流Ioutは、負荷14から循環して還流ダイオード16に流れる。したがって、電力電子スイッチ18と還流ダイオード16がタンデムで動作することが観測され得る。電力電子スイッチ18が高周波数でオン/オフすると、出力インダクタンスLout 32の電流Ioutがかなり一定のままであり得る。
【０００９】
たとえばバイポーラトランジスタといった他のタイプの電力電子スイッチの場合には、「ゲート」という用語は「ベース」で置換されてよく、電圧によって制御されるゲートとは対照的に、ベースは電流によって制御されることが観測されるはずである。これらの区別によって整流セル10の全体の動作原理が変わることはない。
【００１０】
図2は、図1の従来の整流セルの、寄生(漂遊)インダクタンスを示す別の回路図である。図1の理想化モデルとは対照的に、実際の整流セルの部品間の接続は寄生インダクタンスを定義する。寄生インダクタンスは整流セル10の内部の様々な位置に分布しているが、図2に示された適切なモデルは、全体の寄生インダクタンスを表す2つの別個のインダクタンスを示しており、電力電子スイッチ18のエミッタインダクタンス30と、還流ダイオード16、電力電子スイッチ18およびキャパシタ20によって形成された高周波ループ36の辺りの(エミッタインダクタンス30以外の)すべての他の寄生インダクタンスを表すインダクタンス34とを含む。高周波ループ36は、電力電子スイッチ18のスイッチングに際して電流が著しく変化する経路である。出力インダクタンスLout 32は、その電流が転流期間を通してかなり一定のままであるため、高周波ループの一部分ではないことに留意されたい。
【００１１】
図3は、2つの整流セルから形成されたIGBT脚部の回路図である。より具体的には、図1〜図2の上記の説明で紹介された、IGBTを電力電子スイッチとして使用する2つの整流セル10が、単一のループに接続されており、電圧源12およびキャパシタ54を用いて給電されるIGBT脚部50を形成する。第1の電力電子スイッチ(下部のIGBT Q1)は第1の還流ダイオード(上部の還流ダイオードD2)とタンデムで動作し、第2の電力電子スイッチ(上部のIGBT Q2)は別の還流ダイオード(下部の還流ダイオードD1)とタンデムで動作する。下部のIGBT Q1と上部のIGBT Q2の各々が、実際には並列接続された複数のIGBTを含んでよく、これらが組み合わされてさらなる電力を供給する。同様に、上部の還流ダイオードD2と下部の還流ダイオードD1の各々が、複数の並列接続されたダイオードを含み得る。説明を簡単にするために、図3にはIGBTやダイオードの並列化は示されていない。本開示の状況では、「上部の」、「下部の」という用語は、回路における電子デバイスの物理位置を指すものではなく、図3に例示されたような概略図における電子デバイスの位置を指すのみである。たとえば、本開示を限定することなく、デバイスは、マイナス電圧源よりもプラス電圧源に(電気的言葉遣いで)近づけて接続されているとき、「上部」に配置されていると見なされる。デバイスは、プラス電圧源への接続インピーダンスよりも低いインピーダンスでマイナス電圧源に接続されているとき、「下部」に配置されていると見なされ得る。
【００１２】
各IGBTが独自のゲート駆動回路52を有する。電圧源12は、寄生インダクタンスLcを介してIGBT脚部50に接続された入力容量54(Cin)に対して並列に電圧Vbusを供給する。電力コンバータのワイヤ、接続、デカップリングキャパシタおよび回路基板のパターンで本質的に与えられたインダクタンスが、図3に表されている。バッテリー(図示せず)から3相モータ(図示せず)に給電するために使用される3相電力コンバータは、図3に示されるようなIGBT脚部50を3つ備えることになる。そのような電力コンバータは当業者に周知と考えられるので、本明細書でさらに詳細に説明することはない。
【００１３】
下部のIGBT Q1がオフになったとき、過電圧期間中に、下部のIGBT Q1から上部の還流ダイオードD2へ電流が流れる。実際、高周波ループ51には、IGBT脚部50および入力容量54、それらの電流の抵抗変化、図3に示された寄生インダクタンスの極性によって示されるような高周波ループ51における付加的電圧の発現によって形成される様々な寄生インダクタンス(Lc、L+Vbus、Lc-top、Le-top、Lc-bot、Le-botおよびL-Vbus)が存在する。電源の電圧Vbusに加えられるこれらの電圧は、しばしば、下部のIGBT Q1の最大のコレクタ-エミッタ間電圧Vceの定格を上回る電圧をもたらす。上部のIGBT Q2には同じ問題が生じやすい。
【００１４】
従来の解決策は、ゲート-エミッタ間電圧の傾斜を低速化することによって電力電子スイッチの過電圧を制限することを目的とするものである。しかしながら、過電圧の制限が過ぎると電流のスイチッング時間がより長くなり得ることを意味し、整流セルの性能が低下する。
【００１５】
図3から見られるように、IGBT脚部50は、高周波ループ51の寄生(漂遊)インダクタンスのいくつかの両端に接続された抵抗分割器を有する。IGBT脚部50は、抵抗分割器を使用してIGBT Q1、Q2の過電圧を最適化する補償回路を使用する。図3のIGBT脚部50の下側部分について論じると、下部のIGBT Q1は、寄生コレクタインダクタンスLc-bot、寄生エミッタインダクタンスLe-botを含む。下部のIGBT Q1のゲート26は、抵抗R1を介して、そのゲート駆動回路52に接続されている。ゲート駆動回路52の基準56は、2つの抵抗R2およびR3を含んでいる抵抗分割器回路と、下部のIGBT Q1のエミッタの電圧が基準56よりも高いとき抵抗R2を短絡することがターンオンに影響するのを回避し得るように任意選択で付加され得るダイオードD3とを有する補償回路に接続されている。存在する場合、ダイオードD3は、IGBT Q1がオンになっている間、IGBT Q1における電流の方向によってエミッタ24の電圧が基準56よりも高くなるため、導通する。対照的に、IGBT Q1がオフになっている間、エミッタ24における電圧降下によりダイオードD3の両端にマイナス電圧がかかるので、ダイオードD3は導通しない。抵抗R2およびR3は、寄生インダクタンスLe-botとL-Vbusの両方の両端に接続された状態で示されているが、代わりに、寄生インダクタンスLe-botが十分なものであって接続が可能であれば、この寄生インダクタンスのみの両端に接続されてもよいことに留意されたい。
【００１６】
図3の回路では、抵抗R2およびR3の値は、下部のIGBT Q1の両端に可能な許容できる過電圧レベルに従って選択される。R2とR3の比は、過電圧を低減するために増加される。これら2つの抵抗R2とR3の並列接続の値が、ゲート駆動回路の抵抗R1に対して直列に設定される。ゲート駆動回路抵抗R1の値は、従来のやり方で、適切な整流挙動に従って調節される。
【００１７】
補償回路の抵抗の値は、IGBT Q1、Q2におけるエミッタインダクタンスの存在によって引き起こされる過電圧を低減するように設定される。効率のために、di/dtの速度を維持する一方で、過電圧がIGBTの最大定格に到達するように調整することが望まれる。したがって、エミッタ寄生インダクタンスわたる電圧が2つに分割され、ゲート電圧の低下を制限するために、論理的抵抗(logical resistor)にわたる電圧のみがゲート駆動回路に印加される。
【００１８】
エミッタインダクタンスLe-botが十分に大きく、優れた過電圧サンプリングをもたらすため、この技術は下部のIGBT Q1に対して非常によく機能する。対照的に、上部のIGBT Q2については、大抵の場合、エミッタインダクタンスLe-topの値は、エミッタインダクタンスLe-topにわたる電圧を、上部のIGBT Q2を保護するためにゲート抵抗R4を増加することなく適切にクランプするには小さ過ぎる。実際には、上部のIGBT Q2のエミッタインダクタンスLe-topは、ほとんどの場合、上部のIGBT Q2にわたる過電圧を安全なレベルに下げるために使用するには小さ過ぎる。
【００１９】
図4は、IGBTモジュールの一般的なトポロジーの概略図である。図5は、図4のトポロジーを有して回路カードおよびケースを含んでいる実際のIGBTモジュールの上面図である。図4と図5を同時に参照して、従来のIGBTモジュール100は、図3の上部のIGBT Q2を定義する並列接続されたIGBT 102の第1の組およびそれらの関連するダイオード104と、下部のIGBT Q1を定義する並列接続されたIGBT 106の第2の組およびそれらの関連するダイオード108と、+Vbusタブ110と、-Vbusタブ112および負荷タブ114とを含む。IGBTモジュール100の要素は、銅張り(DBC)基板101に取り付けられている。IGBTモジュールのパッケージングにおける制約のために、上部のIGBTおよび下部のIGBTならびにダイオードは、大抵の場合、図4および図5に示されるように互いに近接近してパッケージ化されている。
【００２０】
図4および図5の例では、4つのIGBT 102が並列に配置されて上部のIGBT Q2を形成しており、さらに4つのIGBT 106が並列に配置されて図3の下部のIGBT Q1を形成している。同様に、上部の還流ダイオードD2および下部の還流ダイオードD1は、それぞれ並列接続された4つのダイオードの組104、108として実現されている。図4および図5のIGBTおよびダイオードは、DBC基板101のパターンに接続されている。タブ110、112および114は、ケース103に取り付けられたDBC基板101に取り付けられている。図4および図5において、様々なIGBTのコレクタ22は、c-topパターン116およびc-botパターン122を含んでいるDBCパターンに直接取り付けられているので見えない。エミッタ24は、ワイヤ120によってe-topパターン117およびe-botパターン118に接続されており、ゲート26はワイヤ121によってg-topパターンおよびg-botパターンに接続されている。同様に、様々なダイオードのカソードは、c-topパターン116およびc-botパターン122に直接取り付けられていて見えない。様々なダイオードのアノードは、ワイヤ120によってe-topパターン117およびe-botパターン118に接続されている。
【００２１】
IGBTモジュール100において、DBCパターン、ワイヤボンド120、121および外部接続を介した相互接続により、図3の前述の説明で紹介された寄生インダクタンスが生じる。
【００２２】
下部のIGBT Q1(IGBT 106)のエミッタ26と-Vbusタブ112の外部接続の間の接続を形成するe-botパターン118に包含されるジグザグの模様により、これらの要素の間にかなり大きい寄生インダクタンスが生じる。したがって、下部のIGBT Q1のエミッタインダクタンスLe-botにわたる電圧のレベルが、Q1のエミッタ24においてマイナス電圧を生成するために、図3の補償回路を使用して下部のIGBT Q1のゲート駆動回路26に注入され得、ゲート電圧のマイナスの傾斜を適切に低速化する。
【００２３】
対照的に、上部のIGBT Q2(IGBT 102)のエミッタを、下部のIGBT Q1(IGBT 106)のc-botパターン122に相互接続するワイヤボンド120はかなり短い。したがって、上部のIGBT Q2のエミッタと下部のIGBT Q1のコレクタの間のインダクタンスはかなり小さく、約数ナノヘンリー(nH)である。したがって、ゲート電圧のマイナスの傾斜を低速化するために上部のIGBT Q2のエミッタ24においてマイナス電圧を生成するように図3の補償回路を使用してQ2のゲート駆動回路26に注入され得るQ2のエミッタインダクタンスLe-topにわたる電圧のレベルが小さ過ぎて、上部のIGBT Q2の過電圧を適切に制限することができない可能性がある。
【００２４】
上部のエミッタインダクタンスLe-topの値が比較的小さいため、上記で説明された解決策は、さらなる改良なしで上部のIGBT Q2に適用されたとき、その効果に悪影響があり得る。
【００２５】
したがって、電力電子スイッチにおける寄生インダクタンスのより優れた定義を与えるトポロジーの必要性がある。
【先行技術文献】
【特許文献】
【００２６】
【特許文献１】WO 2013/082705 A1
【特許文献２】WO 2014/043795
【特許文献３】WO 2014/161080 A1
【特許文献４】WO 2015/070344 A1
【特許文献５】WO 2015/061901 A1
【特許文献６】WO 2015/070347 A1
【特許文献７】WO 2015/139132 A1
【発明の概要】
【課題を解決するための手段】
【００２７】
本開示によれば、それぞれがコレクタ、ゲートおよびエミッタを含んでいる上部の電力電子スイッチおよび下部の電力電子スイッチを受けるための物理的トポロジーが提供される。このトポロジーは、上部のコレクタパターン、下部のエミッタパターンおよび中間のパターンを備える。上部のコレクタパターンはプラス電圧電源タブに接続されている。プラス電圧電源タブは、上部の電力電子スイッチのコレクタのための接続領域を含む。下部のエミッタパターンはマイナス電圧電源タブに接続されている。マイナス電圧電源タブは、下部の電力電子スイッチのエミッタのための接続領域を含む。中間パターンは負荷タブに接続されている。中間パターンは、上部の電力電子スイッチのエミッタのための接続領域と下部の電力電子スイッチのコレクタのための接続領域の両方を含む。パターン上に電圧サンプリングポイントが設けられている。電圧サンプリングポイントには、上部の電力電子スイッチのエミッタのための接続領域の内部の中間パターン上に配置された、上部の電力電子スイッチのエミッタ電圧のサンプリングポイントと、負荷タブへの中間パターンの接続領域の内部に配置された、下部の電力電子スイッチのコレクタ電圧のサンプリングポイントと、下部の電力電子スイッチのエミッタのための接続領域の内部の下部のエミッタパターン上に配置された、下部の電力電子スイッチのエミッタ電圧のサンプリングポイントと、マイナス電圧電源タブへの下部のエミッタパターンの接続領域の内部に配置された、マイナス電圧電源タブのサンプリングポイントとが含まれる。
【００２８】
本開示は、前述のトポロジーならびに上部の電力電子スイッチおよび下部の電力電子スイッチを備える電力コンバータも紹介する。この電力コンバータは、上部の電力電子スイッチのエミッタ電圧のサンプリングポイントおよび下部の電力電子スイッチのコレクタ電圧のサンプリングポイントに対して電気的に接続された基準を有する上部のゲート駆動回路、ならびに、下部の電力電子スイッチのエミッタ電圧のサンプリングポイントおよびマイナス電圧電源タブのサンプリングポイントに対して電気的に接続された基準を有する下部のゲート駆動回路も含む。
【００２９】
前述の特徴および他の特徴は、例としてのみ与えられた例示の実施形態の以下の非限定的な説明を、添付図面を参照しながら読み取ることによってさらに明らかになるであろう。
【００３０】
本開示の実施形態を、添付図面を参照しながら、例としのみ説明する。
【図面の簡単な説明】
【００３１】
【図１】従来の電力コンバータ回路に使用されるものなど、従来の整流セルの理想化された回路図である。
【図２】図1の従来の整流セルの寄生(漂遊)インダクタンスを示す別の回路図である。
【図３】2つの整流セルで形成されたIGBT脚部の回路図である。
【図４】IGBTモジュールの一般的なトポロジーの概略図である。
【図５】図4のトポロジーを有して回路カードおよびケースを含んでいる実際のIGBTモジュールの上面図である。
【図６】一実施形態による、回路カードおよびケースを含んでいるIGBTモジュールの上面図である。
【図７】図6のIGBTモジュールの斜視図である。
【図８】図6のIGBTモジュールの、ケースなしで回路カードおよびコネクタを示す斜視図である。
【図９】図6のIGBTモジュールとともに使用するように適合されたIGBT脚部の回路図である。
【発明を実施するための形態】
【００３２】
様々な図面における類似の数字は類似の特徴を表す。
【００３３】
本開示の様々な態様は、一般に、スイッチングのとき電力コンバータに存在する過電圧の問題のうち1つまたは複数に対処するものである。
【００３４】
整流セルの特にIGBTのターンオフにおける過電圧を制限するように動作可能な回路は、国際特許のWO 2013/082705 A1、WO 2014/043795、WO 2014/161080 A1、WO 2015/070344 A1、WO 2015/061901 A1、WO 2015/070347 A1およびWO 2015/139132 A1に説明されており、これらの開示のすべてがJean-Marc Cyrらの著作であって参照により本明細書に組み込まれている。
【００３５】
本技術は、電力モジュールの電力電子スイッチのターンオフにおける過電圧およびスイッチング損失の制御を提供するものである。本明細書で示された回路および方法は、一般に、電力電子スイッチのターンオフにおける過電圧を制限する他の解決策と互換性がある。
【００３６】
電力モジュールでは、電力電子スイッチのターンオフにおけるdi/dtにより、電力モジュールの高周波ループの漂遊インダクタンスの両端に電圧が生じる。この電圧は、電力電子スイッチの両端に印加され、さらに電力モジュールに電力を供給するバス電圧に印加される。電力電子スイッチの両端に存在する過電圧のサンプルを電力電子スイッチのゲート駆動回路に注入することに基づく解決策が提案されている。この解決策は、直列接続された1対の電力電子スイッチの場合には「下部の」電力電子スイッチにおける過電圧を効率的に制御する。しかしながら、「上部の」電力電子スイッチのエミッタと「下部の」電力電子スイッチのコレクタの間に存在する寄生インダクタンスは、上部の電力電子スイッチに存在する過電圧の十分なサンプルをもたらすには足りない可能性がある。改善には、寄生インダクタンス電圧の定義の変更と、寄生インダクタンスにわたる電圧のサンプリングポイントとを提供する、電力電子スイッチを取り付けるための新規の物理的トポロジーの定義が含まれる。
【００３７】
本明細書および添付の特許請求の範囲では、「寄生インダクタンス」という表現は、実際の整流セルの様々な部品間の接続によって生成されたインダクタンスを指すように使用されていることに留意されたい。本開示から理解されるように、寄生インダクタンスのうちのいくつかの両端に生成された電圧がサンプリングされて、整流セルの動作を改善するために使用される。それにもかかわらず、本明細書では、これらのインダクタンスは、明瞭さのために寄生インダクタンスと称される。
【００３８】
本明細書で開示される技術は、主として絶縁ゲートバイポーラトランジスタ(IGBT)の使用に関連して説明されることになる。以下の説明におけるIGBTの言及は解説のためであり、本開示を限定するように意図されたものではない。同じ技術が、金属酸化膜半導体電界効果トランジスタ(MOSFET)、バイポーラトランジスタおよび類似の制御される電力電子スイッチを使用して構築された電力モジュールに対して同様に適用され得る。
【００３９】
これらの技術は、IGBTモジュールのゲート駆動回路に接続するための電圧サンプルを提供するものである。上部のエミッタインダクタンスと下部のエミッタインダクタンスにわたる電圧がそれぞれのゲート駆動回路に注入され、両IGBTのエミッタにおけるマイナス電圧を生成して、Vgeのマイナス傾斜を低速化する。結果として、di/dt制限の遅延なしで、ゲート電圧に対する直接作用が得られる。
【００４０】
本開示は、たとえばIGBTモジュールの電力電子スイッチにおける寄生インダクタンスを定義する改善された物理的トポロジーを紹介するものである。図6は、一実施形態による、回路カードおよびケースを含んでいるIGBTモジュールの上面図である。図7は図6のIGBTモジュールの斜視図である。図8は、図6のIGBTモジュールの、ケースなしで回路カードおよびコネクタを示す斜視図である。
【００４１】
図6〜図8を同時に参照して、たとえば銅張り(DBC)基板といったカードの形態で実装された物理的トポロジー200が、ケース202に取り付けられ得る。トポロジー200は、複数の並列接続された上部のIGBT 204を任意選択で含んでいる上部の電力電子スイッチと、複数の並列接続された下部のIGBT 206を任意選択で含んでいる下部の電力電子スイッチとを受けるように適合されている。上記で明示されたように、各IGBTはコレクタ、ゲートおよびエミッタを含む。トポロジー200は、プラス電圧電源タブ210に接続された上部のコレクタパターン208を備える。上部のコレクタパターン208は、上部のIGBT 204のコレクタのための接続領域をもたらす。トポロジー200は、マイナス電圧電源タブ214に接続された下部のエミッタパターン212も備える。下部のエミッタパターン212は、下部のIGBT 206のエミッタのための接続領域をもたらす。トポロジー200には、多相の実施形態の場合の相タブであり得る負荷タブ218に対して接続された中間パターン216も含まれる。中間パターン216は、上部のIGBT 204のエミッタのための接続領域および下部のIGBT 206のコレクタのための接続領域を有する。上部のIGBT 204のコレクタは上部のコレクタパターン208に対して直接接触しており、下部のIGBT 206のコレクタは中間パターン216に対して直接接触している。上部のIBGT 204のエミッタがワイヤ220で中間パターン216に接続されており、下部のIGBT 206のエミッタがワイヤ221で下部のエミッタパターン212に接続されている。上部のコレクタパターン208において、上部のIGBT 204に対して上部の還流ダイオード222が並列に取り付けられており、中間パターン216において、下部のIGBT 206に対して下部の還流ダイオード224が並列に取り付けられている。パターンは、たとえば銅張り(DBC)を使用して導電材料で作製されている。
【００４２】
トポロジー200は4つの電圧サンプリングポイントを含む。電圧サンプリングポイントには、上部のIGBT 204のエミッタのための接続領域の内部の中間パターン216上に配置された、上部のIGBTのエミッタ電圧のサンプリングポイント226と、負荷タブ218への中間パターン216の接続領域の内部に配置された、下部のIGBTのコレクタ電圧のサンプリングポイント228と、IGBT 206のエミッタのための接続領域の内部の下部のエミッタパターン212上に配置された、下部のIGBTのエミッタ電圧のサンプリングポイント230と、マイナス電圧電源タブ214への下部のエミッタパターン212の接続領域の内部に配置された、マイナス電圧電源タブのサンプリングポイント232とが含まれる。
【００４３】
サンプリングポイント226、228、230および232は、それぞれ、個別の回路カード(図示せず)上に配置されているゲート駆動回路(後の図)に接続するために、トポロジー200を支持しているカードの面から延在するピン234、236、238および240に対して接続されている。ピン234および238は、たとえば溶接によって、それぞれサンプリングポイント226および230に直接接続されていることに留意されたい。他方では、ピン236および240は、それぞれ中間パターン216および下部のエミッタパターン212の端に溶接され、中間パターン216の一部分および下部のエミッタパターン212の一部分を介してサンプリングポイント228および232に接続されている。下部のIGBT 206とタブ218および214の間に流れる強い電流を絶縁するために溝242および244が設けられており、それにより、ピン236および242の電圧が、それぞれタブ218および214の電圧を効果的に反映する。
【００４４】
トポロジー200の内部で、上部のコレクタパターン208によって形成された上部のコレクタインダクタンス(Lc-top)が、プラス電圧電源タブ210のための接続領域と、様々な上部のIGBT 204が上部のコレクタパターン上に取り付けられているポイントとの間に全体的に画定される。下部のエミッタパターン212によって形成された下部のエミッタインダクタンス(Le-bot)が、実質的に下部のIGBTのエミッタ電圧のサンプリングポイント230における下部のIGBT 206のエミッタの接続領域と、マイナス電圧電源タブ214のための接続領域との間に全体的に画定される。中間パターン216によって形成された上部のエミッタインダクタンス(Le-top)が、実質的に上部のIGBTのエミッタ電圧のサンプリングポイント226における上部のIGBT 204のエミッタのための接続領域と、負荷タブ218のための接続領域との間に全体的に画定される。やはり中間パターン216によって形成された下部のコレクタインダクタンス(Lc-bot)が、負荷タブ218のための接続領域と、様々な下部のIGBT 206が中間パターン216上に取り付けられているポイントとの間に全体的に画定される。限定することなく、上部のエミッタインダクタンス(Le-top)と下部のエミッタインダクタンス(Le-bot)は、どちらも上部のコレクタインダクタンス(Lc-top)よりも大きくてよい。
【００４５】
開示されたトポロジーは、早期のレイアウトと比較して、上部のエミッタインダクタンス値が増加するばかりでなくコレクタインダクタンス値も減少する。開示されたトポロジーを使用して構築されたIGBT脚部の高周波ループにおける全体のインダクタンスは、いくつかの実施形態では、たとえば図4および図5のレイアウトといった早期のレイアウトでもたらされる全体のインダクタンスと類似したままであり得、その結果、もたらされるスイッチング損失およびスイッチング速度には著しい悪影響がない。しかしながら、上部のエミッタインダクタンスが増加するため、上部のエミッタインダクタンスの両端でサンプリングされた電圧を上部の電力電子スイッチのゲート駆動回路に印加するのが、はるかに容易になる。
【００４６】
図6、図7および図8に示されるように、上部のIGBT 204のエミッタおよび下部のIGBT 206のエミッタは、ワイヤ220によって、それぞれ中間パターン216および下部のエミッタパターン212に対して、かなり広い接続領域にわたって接続されている。並列接続されたIGBT 204とIGBT 206の各々の電流を実質的に等しくするために、中間パターン216は、上部のIGBTのエミッタ電圧のサンプリングポイント226から負荷タブ218の方へ通じる溝246を含み、下部のエミッタパターン212は、下部のIGBTのエミッタ電圧のサンプリングポイント230からマイナス電圧電源タブ214の方へ通じる溝248を含む。IGBT 204のエミッタからの電流は、サンプリングポイント226の方へ駆動されてからタブ218へさらに流れ、IGBT 206のエミッタからの電流は、サンプリングポイント230の方へ駆動されてからタブ214へさらに流れる。
【００４７】
図6、図7および図8には、ワイヤ223によって上部のIGBT 204のゲートに接続するように構成された上部のゲートパターン250、およびワイヤ225によってIGBT 206のゲートに接続するように構成された下部のゲートパターン252も示されている。トポロジー200を支持するカードの面から延在するピン254および256は、それぞれ上部のゲート駆動回路の出力および下部のゲート駆動回路の出力(次の図に示されている)に対する接続をもたらす。
【００４８】
トポロジー200は電力コンバータの一部分として使用され得る。図9は、図6のIGBTモジュールとともに使用するように構成されたIGBT脚部の回路図である。IGBT脚部300は概略的に示されている。IGBT脚部300の要素のうちのいくつかは、図6、図7、図8の物理的トポロジー200上に取り付けられており、IGBT脚部300の他のいくつかの要素は、たとえばトポロジー200を密封するケース202の上に取り付けられ得る個別の回路カード(図示せず)上に取り付けられている。IGBT脚部300は、上部のIGBT 204、上部の還流ダイオード222、下部のIGBT 206および下部の還流ダイオード224を含み、これらの各々が、トポロジー200上に取り付けられており、単一のデバイスまたは複数の並列接続されたデバイスを含み得る。上記で明示されたように、インダクタンスLc-top、Le-top、Lc-botおよびLe-botは、トポロジー200のパターン208、212および216によって定義される。インダクタンスL+Vbus、L-VbusおよびLphaseは、それぞれプラス電圧電源タブ210、マイナス電圧電源タブ214および負荷タブ218(多相の実施形態の場合、相タブとも称される)によって定義される。
【００４９】
トポロジー200を支持するカードの面から延在するピン234、236、238および240は、図9に示されたポイントにおいてIGBT脚部300に接続されている。ピン234と236の間には上部のエミッタインダクタンスLe-topにわたる電圧が存在し、ピン238と240の間には下部のエミッタインダクタンスLe-botにわたる電圧が存在する。
【００５０】
上部のゲート駆動回路302は、プラス電圧電源+Vccおよびマイナス電圧電源-Vddによって給電され、基準304を有する。上部のゲート駆動回路302の入力303に供給される制御信号により、出力305が、基準304よりも高い+Vccまたは基準304未満の-Vddのいずれかに到達し、ゲート抵抗R4を介して上部のIGBT 204のゲート26に印加される信号を形成する。上部のゲート駆動回路302の基準304は、抵抗および任意選択のターンオンダイオードを含んでいる補償回路を介して、上部のIGBT 204のエミッタインダクタンスに対して直列に、ゲート-エミッタ両端に接続されている。基準304は、上部のIGBTのエミッタ電圧のサンプリングポイント226に対して、ピン234を介して直接的に、または任意選択で、ピン234を介し、抵抗RD4と直列のターンオンダイオードD4を介して、電気的に接続される。存在する場合には、ターンオンダイオードD4は、上部のIGBT 204のエミッタ電圧が基準304の電圧よりも高いとき短絡状態になるように極性を与えられている。基準304は、抵抗R8およびピン236を介して、下部のIGBTのコレクタ電圧のサンプリングポイント228にも電気的に接続されている。任意選択で、抵抗R7が、抵抗RD4とターンオンダイオードD4の直列結合に対して並列に配置される。ターンオンダイオードD4がない場合(同様な意味合いで抵抗RD4の値が無限大である場合)、補償回路は、上部のIGBT 204のターンオン中とターンオフ中で同様に動作する。ターンオンダイオードD4があって抵抗RD4が短絡によって置換される場合、ターンオンにおける補償はない。ターンオンダイオードD4がある状態で抵抗RD4の適正値を選択すると、上部のIGBT 204のターンオンをそのターンオフから独立して微調整することができ、補償回路は、R7と並列のRD4の間に抵抗分割器を形成し、この並列の組合せはR8に対して直列である。抵抗R7が無限大の値を有し得ることに留意されたい。抵抗R7は、必要に応じて回路を微調整するために使用される。
【００５１】
下部のゲート駆動回路308は、プラス電圧電源+Vccおよびマイナス電圧電源-Vddによっても給電され、基準310を有する。下部のゲート駆動回路308の入力309に供給される制御信号により、出力311が、基準310よりも高い+Vccまたは基準310未満の-Vddのいずれかに到達し、ゲート抵抗R1を介して下部のIGBT 206のゲート26に印加される信号を形成する。下部のゲート駆動回路308の基準310は、抵抗および任意選択のターンオンダイオードを含んでいる補償回路を介して、下部のIGBT 206のエミッタインダクタンスの両端に接続されている。下部のゲート駆動回路308は、抵抗および任意選択のターンオンダイオードを含んでいる補償回路を介して下部のIGBT 206に接続されている。基準310は、下部のIGBTのエミッタ電圧のサンプリングポイント230に対して、ピン238を介して直接的に、または任意選択で、ピン238を介し、抵抗RD3と直列のターンオンダイオードD3を介して、電気的に接続される。存在する場合には、ターンオンダイオードD3は、下部のIGBT 206のエミッタ電圧が基準310の電圧よりも高いとき短絡状態になるように極性を与えられている。基準310は、抵抗R10およびピン240を介して、マイナス電圧電源タブのサンプリングポイント232にも電気的に接続されている。抵抗RD3とターンオンダイオードD3の直列接続に対して並列に、任意選択の抵抗R9が配置されている。ターンオンダイオードD3がない場合(同様な意味合いで抵抗RD3の値が無限大である場合)、補償回路は、下部のIGBT 206のターンオン中とターンオフ中で同様に動作する。ターンオンダイオードD3があって抵抗RD3が短絡によって置換される場合、ターンオンにおける補償はない。ターンオンダイオードD3がある状態で抵抗RD3の適正値を選択すると、下部のIGBT 206のターンオンをそのターンオフから独立して微調整することができ、補償回路は、R9と並列のRD3の間に抵抗分割器を形成し、この並列の組合せはR10に対して直列である。抵抗R9が無限大の値を有し得ることに留意されたい。
【００５２】
たとえば上部のIGBT 204と、その上部のゲート駆動回路302と、任意選択のターンオンダイオードD4ならびに抵抗R7およびR8を含む補償回路とから形成された整流セルを検討する。上部のIGBT 204が既にオンになっているとき、上部のゲート駆動回路302の出力305は基準304よりも高い+Vccであり、上部のIGBT 204は基本的に短絡され、ピン234に存在するそのエミッタ電圧は基本的に+Vbus電圧に等しい。この電圧は基準304における電圧に等しく、ターンオンダイオードD4は短絡状態である。入力303がゲート駆動回路302に対してターンオフ指令を与えるとき、補償回路なしでは、出力305が-Vddまで急速に低下して上部のIGBT 204が急速に開回路になるはずである。上部のIGBT 204を流れる電流が急速に減少すると、図9に示される極性を有する過大な電圧がLe-topの両端に生じ、過電圧の原因となる。補償回路および本トポロジーを用いると、ピン234におけるエミッタ電圧が基準304の電圧未満に低下して、ターンオンダイオードD4が開回路になる。Le-topにわたる、ピン234と236の間の電圧が、抵抗R7とR8の間で分割され、基準304に印加される過電圧のサンプルをもたらす。Le-topにわたる過電圧のこのサンプルが-Vddの値に対して直列に加えられ、上部のIGBT 204のゲート26とエミッタ24の間の電圧Vgeの低下を効果的に低速化して、そのdi/dtを低速化し、上部のIGBT 204のコレクタ22とエミッタ24の間の過電圧を低下させる。
【００５３】
上部のIGBT 204はオンになると電流が流れ始めるため、Le-topにわたる電圧は逆極性を有し、ピン234におけるエミッタ電圧が基準304の電圧を上回って増加し、存在する場合にはターンオンダイオードD4が再び短絡状態になる。上部のゲート駆動回路302の出力305が+Vccに到達する傾向がある間に、ゲート26に印加される電圧のこの上昇は、ピン234に存在するエミッタ電圧を基準304に印加することによって低速化される。これは、ゲート26とエミッタ24の間の電圧Vgeの上昇を低速化し、結果的に、上部のIGBT 204を流れる電流のdi/dtの上昇を低速化する。結果として、これは下部の還流ダイオード224における回復電流を減少させる。
【００５４】
下部のIGBT 206と、下部のIGBT 206のゲート駆動回路308、およびターンオンダイオードD3(存在する場合)を含む補償回路と、抵抗R9およびR10とから形成された整流セルは、同様に動作する。
【００５５】
前述のことは、電気自動車のモータなどの接続された負荷に対して交流を供給するために、たとえば半導体の全脚部と、対の電力電子スイッチと、還流ダイオードとを使用する電力モジュールといった、DC-DC電力コンバータ、AC-DC電力コンバータおよびDC-AC電力コンバータ、ならびに本明細書で開示されたような3つの物理レイアウトおよび3対の電力電子スイッチを使用して構築された3相電力コンバータに対して適用可能な解決策を説明するものである。
【００５６】
当業者なら、電力コンバータに関する物理的トポロジーの説明は解説でしかなく、限定するように意図されたものではないことを理解するであろう。他の実施形態は、それ自体が、当業者なら本開示の利益を得ることをたやすく示唆するであろう。その上、電力コンバータに関する物理的トポロジーは、既存の要求および電力電子スイッチに生じる過電圧の問題に対して役に立つ解決策を提供するためにカスタマイズされてよい。
【００５７】
非限定的な例として、当業者なら、パターン216および212のサンプリングポイント226および230の位置が、特定の用途に必須の寄生インダクタンスの値に依拠して変化され得ることを理解するであろう。
【００５８】
明瞭さのために、電力コンバータに関する物理的トポロジーの実装形態の通常の特徴のすべてが示されて説明されているとは限らない。電力コンバータに関する物理的トポロジーのあらゆるそのような実際の実装形態の開発において、用途、システム、および営業に関連する制約に対する対応など、開発者の特定の目標を達成するために、多くの実装時固有の判断が必要になり得ること、また、これらの特定の目標は、実装形態ごと、開発者ごとに異なるはずであることが、もちろん理解されよう。その上、開発努力は複雑かつ時間を要するものであるが、それにもかかわらず、本開示の利益を得るパワーエレクトロニクスの分野の当業者にとって、巧みに実行する型通りの仕事になるはずであることが理解されよう。
【００５９】
電力コンバータに関する物理的トポロジーは、添付図面に示され上記で説明された構成および部品の詳細に対するその適用に限定されないことを理解されたい。提案されたトポロジーは、他の実施形態が可能であり、様々なやり方で実行され得るものである。本明細書で使用された言葉遣いまたは用語は、限定するためではなく説明のためのものであることも理解されたい。
【００６０】
電力コンバータに関する物理的トポロジーは、その例示の実施形態によって上記で説明されている。特許請求の範囲は、例で説明された実施形態によって制限されるべきではなく、全体として説明と矛盾しない最も広い解釈を与えられるべきである。
【符号の説明】
【００６１】
10  整流セル
12  電圧源
14  負荷
16  還流ダイオード
18  電力電子スイッチ
20  キャパシタ
22  コレクタ
24  エミッタ
26  ゲート
30  エミッタインダクタンス
32  インダクタンス
34  インダクタンス
36  高周波ループ
50  IGBT脚部
51  高周波ループ
52  ゲート駆動回路
54  キャパシタ
56  基準
100  IGBTモジュール
101  銅張り(DBC)基板
102  IGBT
103  ケース
104  4つのダイオードの組
106  IGBTS
108  4つのダイオードの組
110  タブ
112  タブ
114  タブ
116  c-topパターン
117  e-topパターン
118  e-botパターン
120  ワイヤ
121  ワイヤ
122  c-botパターン
200  トポロジー
202  ケース
204  上部のIGBT
206  下部のIGBT
208  上部のコレクタパターン
210  プラス電圧電源タブ
212  下部のエミッタパターン
214  マイナス電圧電源タブ
216  中間パターン
218  負荷タブ
220  ワイヤ
221  ワイヤ
222  上部の還流ダイオード
223  ワイヤ
224  下部の還流ダイオード
225  ワイヤ
226  上部のIGBTのエミッタ電圧のサンプリングポイント
228  下部のIGBTのコレクタ電圧のサンプリングポイント
230  下部のIGBTのエミッタ電圧のサンプリングポイント
232  マイナス電圧電源タブのサンプリングポイント
234  ピン
236  ピン
238  ピン
240  ピン
242  溝
244  溝
246  溝
248  溝
250  上部のゲートパターン
252  下部のゲートパターン
254  ピン
256  ピン
300  IGBT脚部
302  上部のゲート駆動回路
303  入力
304  基準
305  出力
308  下部のゲート駆動回路
309  入力
310  基準
311  出力
【図１】
2018520625.tif 000003
【図２】
2018520625.tif 000004
【図３】
2018520625.tif 000005
【図４】
2018520625.tif 000006
【図５】
2018520625.tif 000007
【図６】
2018520625.tif 000008
【図７】
2018520625.tif 000009
【図８】
2018520625.tif 000010
【図９】
2018520625.tif 000011
【国際調査報告】
2018520625.tif 000012
2018520625.tif 000013
2018520625.tif 000014